(57)【特許請求の範囲】
【請求項１】
カメラ装置により撮影した写真の写真データに複数種類の画像処理を行って印刷用写真のデータを作成する印刷用写真作成装置における各画像処理の工程管理に使用される工程管理装置であって、
印刷用写真作成装置は、写真データを当該写真データに所定の画像処理を行った後の写真データに変換する変換用パラメータを生成する複数の第１の画像処理装置と、当該複数の第１の画像処理装置それぞれで作成された変換用パラメータを用いて上記印刷用写真のデータを作成する第２の画像処理装置とを備え、
第１の画像処理装置は、所定の写真データに対する画像処理を要求する処理要求信号を工程管理装置より受信すると受信した処理要求信号で指示された写真データに対するジョブが末尾に登録される待ち行列を記憶する記憶手段と、当該記憶手段に記憶された待ち行列の先頭からジョブを順次実行可能にする画像処理手段と、ジョブが終了すると工程管理装置に通知する進捗状況通知手段とを有し、
工程管理装置は、複数の第１の画像処理装置に上記処理要求信号を予め設定された順番で送信する順番管理手段と、複数の第１の画像処理装置それぞれの待ち行列を監視する監視手段と、当該監視手段の監視結果に基づいて各第１の画像処理装置における待ち行列に登録されたジョブが全て終了するまでにかかるジョブ待ち時間を算出する進捗状況評価手段とを有し、
少なくとも一部の画像処理は順番を入れ替え可能であって、
順番管理手段は、上記処理要求信号を第１の画像処理装置に送信するにあたっては、上記処理要求信号の送信候補の上記第１の画像処理装置におけるジョブ待ち時間が所定時間以内であるか否かを判定し、ジョブ待ち時間が所定時間以内であれば上記順番通りに上記処理要求信号を送信し、ジョブ待ち時間が所定時間を越えていれば順番の入れ替えが可能である画像処理を行う別の第１の画像処理装置を上記処理要求信号の送信候補とした後、ジョブ待ち時間が所定時間を越えていた上記第１の画像処理装置を上記処理要求信号の送信候補とすることを特徴とする工程管理装置。
【請求項２】
上記進捗状況評価手段は、上記第１の画像処理装置において１つのジョブの処理にかかった平均作業時間と、当該第１の画像処理装置における待ち行列に登録されたジョブの数とを乗算することで、上記ジョブ待ち時間を算出することを特徴とする請求項１記載の工程管理装置。
【請求項３】
上記第１の画像処理装置は、上記工程管理装置より所定の写真データに対する画像処理を優先して行うことを要求する優先処理要求信号を受信すると、当該優先処理要求信号で指示された写真データに対するジョブを上記待ち行列の先頭に登録する割り込み処理を実行する割り込み手段を有するものであって、
上記順番管理手段は、上記進捗状況評価手段で算出した上記ジョブ待ち時間と上記写真データの納期とに基づいて、納期に間に合うか否かを判定する納期遅延判定手段を有し、当該納期遅延判定手段で間に合わないと判定された上記写真データがあれば、当該写真データについては処理要求信号に代えて優先処理要求信号を送信することを特徴とする請求項１または２記載の工程管理装置。
【発明の詳細な説明】
【技術分野】
【０００１】
本発明は、工程管理装置、特にカメラ装置で撮影した写真の写真データに対して複数種類行う画像処理の工程管理に使用される工程管理装置に関するものである。
【背景技術】
【０００２】
近年、銀塩写真の代わりにデジタル（ディジタル）写真が（すなわち、フィルムカメラの代わりに、デジタルカメラが）普及してきている。デジタル写真は、現像しなければ写り具合を確認することができない銀塩写真とは異なり、撮った直後に写り具合を確認することができ、また、銀塩写真に比べて写真の修整が容易に行えるという利点がある。また、デジタルカメラによれば、フィルムカメラとは異なり、スキャナなどによる取り込み作業を行わなくても、写真のデジタルデータ（写真データ）を得ることができるので、インターネットなどどの通信網を利用して、遠隔地に容易に写真データを送ることができる。
【０００３】
上述したようなデジタルカメラの利点に鑑み、デジタルカメラで撮影した写真を、撮影場所とは異なる場所で画像処理することが提案されている（例えば、特許文献１参照）。特許文献１に示すものは、デジタルカメラで撮影した写真データをインターネットなどの通信網（通信回線）を介して遠隔地の写真館に送り、当該写真館で種々の画像処理を行って、デジタルカメラで撮影した写真を貼付したアルバムを作製するものである。
【特許文献１】特開２００５−７９８５６号公報
【発明の開示】
【発明が解決しようとする課題】
【０００４】
ところで、上述したようなアルバムの作製過程では、デジタルカメラで撮影した写真の写真データに対して複数種類の画像処理、例えば、トリミングや、色補正、ゴミや傷による写真の欠陥の修整（不要部分の除去）などが行われるが、画像処理の種類によって、画像処理にかかる時間、すなわち、負荷（仕事量）が異なる。そのため、負荷が重く作業が遅れがちな画像処理と負荷が軽く作業が進みがちな画像処理とが混在しており、所定の順番で画像処理を行う場合には、画像処理の順番待ちの時間（空き時間）が長くなって、作業効率の低下を招き、機材や人材の有効活用が図れず、ひいてはアルバム作製のコストの上昇にも繋がる。
【０００５】
本発明は上述の点に鑑みて為されたもので、その目的は、写真データに複数種類の画像処理を行う際の作業効率を向上することができる工程管理装置を提供することにある。
【課題を解決するための手段】
【０００６】
上記の課題を解決するために、請求項１の発明では、カメラ装置により撮影した写真の写真データに複数種類の画像処理を行って印刷用写真のデータを作成する印刷用写真作成装置における各画像処理の工程管理に使用される工程管理装置であって、印刷用写真作成装置は、写真データを当該写真データに所定の画像処理を行った後の写真データに変換する変換用パラメータを生成する複数の第１の画像処理装置と、当該複数の第１の画像処理装置それぞれで作成された変換用パラメータを用いて上記印刷用写真のデータを作成する第２の画像処理装置とを備え、第１の画像処理装置は、所定の写真データに対する画像処理を要求する処理要求信号を工程管理装置より受信すると受信した処理要求信号で指示された写真データに対するジョブが末尾に登録される待ち行列を記憶する記憶手段と、当該記憶手段に記憶された待ち行列の先頭からジョブを順次実行可能にする画像処理手段とを共通に具備し、工程管理装置は、複数の第１の画像処理装置に上記処理要求信号を予め設定された順番で送信する順番管理手段と、複数の第１の画像処理装置それぞれの待ち行列を監視する監視手段と、当該監視手段の監視結果に基づいて各第１の画像処理装置における待ち行列に登録されたジョブが全て終了するまでにかかるジョブ待ち時間を算出する進捗状況評価手段とを有し、少なくとも一部の画像処理は順番を入れ替え可能であって、順番管理手段は、上記処理要求信号を第１の画像処理装置に送信するにあたっては、上記処理要求信号の送信候補の上記第１の画像処理装置におけるジョブ待ち時間が所定時間以内であるか否かを判定し、ジョブ待ち時間が所定時間以内であれば上記順番通りに上記処理要求信号を送信し、ジョブ待ち時間が所定時間を越えていれば順番の入れ替えが可能である画像処理を行う別の第１の画像処理装置を上記処理要求信号の送信候補とした後、ジョブ待ち時間が所定時間を越えていた上記第１の画像処理装置を上記処理要求信号の送信候補とすることを特徴とする。
【０００７】
請求項１の発明によれば、進捗状況評価手段で算出したジョブ待ち時間が所定時間以内か否かによって、処理要求信号の送信候補の第１の画像処理装置の負荷（仕事量）が過多であるか否かを判定し、処理要求信号の送信候補の第１の画像処理装置の負荷が過多でなければ、予め設定された順番にしたがって処理要求信号を送信する一方で、送信候補の第１の画像処理装置の負荷が過多であれば、順番の入れ替えが可能である別の第１の画像処理装置を処理要求信号の送信候補とし、別の第１の画像処理装置での画像処理を行った後に、負荷が過多であった第１の画像処理装置での画像処理を行うから、写真データに対する画像処理（ジョブ）の流れが停滞することを抑制して、全体的にジョブの待ち時間を短くすることができ、その結果、写真データに複数種類の画像処理を行う際の作業効率を向上することができる。
【０００８】
請求項２の発明では、請求項１の発明において、上記進捗状況評価手段は、上記第１の画像処理装置において１つのジョブの処理にかかった平均作業時間と、当該第１の画像処理装置における待ち行列に登録されたジョブの数とを乗算することで、上記待ち時間を算出することを特徴とする。
【０００９】
請求項２の発明によれば、待ち時間を容易に計算することができる。
【００１０】
請求項３の発明では、請求項１または２の発明において、上記第１の画像処理装置は、上記工程管理装置より所定の写真データに対する画像処理を優先して行うことを要求する優先処理要求信号を受信すると、当該優先処理要求信号で指示された写真データに対するジョブを上記待ち行列の先頭に登録する割り込み処理を実行する割り込み手段を有するものであって、上記順番管理手段は、上記進捗状況評価手段で算出した上記ジョブ待ち時間と上記写真データの納期とに基づいて、納期に間に合うか否かを判定する納期遅延判定手段を有し、当該納期遅延判定手段で間に合わないと判定された上記写真データがあれば、当該写真データについては処理要求信号に代えて優先処理要求信号を送信することを特徴とする。
【００１１】
請求項３の発明によれば、納期に遅れそうな写真データに対するジョブを優先して行わせることができるから、納期に遅れてしまうことを防止することができる。
【発明の効果】
【００１２】
本発明は、写真データに複数種類の画像処理を行う際の作業効率を向上することができるという効果を奏する。
【発明を実施するための最良の形態】
【００１３】
以下に、本発明の一実施形態の工程管理装置１を備えたアルバム作製システムについて説明する。このアルバム作製システムは、図１に示すように、カメラ装置２により撮影した写真の写真データに複数種類の画像処理を行って印刷用写真のデータ（印刷用写真データ）を作成する印刷用写真作成装置３と、カメラ装置２が配置される店舗（例えば写真館の店舗）に設置されカメラ装置２より得られる写真データを通信網（電気通信回線）ＮＴ１を通じて印刷用写真作成装置３に送信する写真入力装置４と、印刷用写真作成装置３で作成された印刷用写真データによる印刷用写真を写真用紙などの印画紙にプリント（印刷）するプリンタ装置５と、写真データによる写真に不要部分、例えば、ゴミや傷などによる欠陥があるか否かの確認に使用される欠陥確認装置６とを備える。なお、印刷用写真作成装置３と欠陥確認装置６とは通信網ＮＴ２で接続される。
【００１４】
ここで、写真入力装置４は、例えばカメラ装置２により撮影を行う写真館などの店舗に設置される。一方、印刷用写真作成装置３、プリンタ装置５、および欠陥確認装置６は、例えば、写真入力装置４が設置される店舗とは別の工場などに設置される。特に欠陥確認装置６は、遠隔地、例えば海外の工場に設置される。また、通信網ＮＴ１，ＮＴ２は例えばインターネットなどである。
【００１５】
カメラ装置２は、例えば、イメージセンサ（例えば、ＣＣＤイメージセンサやＣＭＯＳイメージセンサ）などの撮像素子（固体撮像素子）や、当該撮像素子の前方に配置された群レンズからなる光学系などを備え、撮影した写真のデータよりなる写真データを出力可能なデジタル一眼レフカメラなどのデジタルカメラである。なお、以下の説明では、「写真」は、モニタ装置の画面に表示されるか、写真用紙にプリントされた形態であって、画像の内容を視認できるものの意味に用いる。また、この種のカメラ装置２は従来周知のものを採用することができるから詳細な説明は省略する。
【００１６】
写真入力装置４は、カメラ装置２より写真データを取り込む写真取込み装置４０と、写真取込み装置４０で取り込んだ複数枚分の写真データ（すなわちカメラ装置２により撮影した複数枚分の写真の写真データ）を格納する画像サーバ４１と、写真取り込み装置４０で取り込んだ写真のなかから必要な写真（写真アルバムに使用する写真）を選択するための選択装置（セレクタ）４２と、カメラ装置２により撮影した複数枚の写真が貼付される写真アルバムの作製を依頼した客に関する情報を含む客情報の入力に使用される客情報入力装置４３とを備える。
【００１７】
写真取込み装置４０は、カメラ装置２で撮影した写真の写真データを読み込むためのインターフェース（図示せず）を備える。カメラ装置２は、通常は、上記インターフェースに直接接続されるが、カメラ装置２に装着された可搬媒体（メモリカードなど）をカメラ装置２より取り出して、上記インターフェースに接続することによっても、写真データの取出しが可能である。写真取込み装置４０は、カメラ装置２より取り込んだ写真データに、識別符号を付して、画像サーバ４１に送信する。ここで、上記識別情報には、客を識別するための客符号、種類を分けるための類別符号、写真データを整理するための種々の情報（例えば、写真を撮影した年月日、時刻、店舗名、当該店舗におけるスタジオ名など）を有した写真情報が含まれる。客符号および類別符号は、客情報入力装置４３に入力された客情報に基づいて設定される。特に類別符号は、同じ客について、撮影される人物を変えたり、背景を変えたり、衣装を変えたりした場合に、グループ毎（例えば、人物毎、背景毎、衣装毎）に付与される符号である。例えば、一人の人物が、ドレス、着物、スーツなどのように衣装を変えたときに、衣装ごとに類別符号が付与される。このように写真データには、客符号と類別符号とが付され、同一の客符号が付された写真データ、あるいは同一の類別符号が付された写真データは、一連の写真データとして扱われる。このような写真取込み装置４０は、パーソナルコンピュータを主構成としており、上記処理は所定のアプリケーションプログラムをパーソナルコンピュータで実行することにより実現される。
【００１８】
選択装置４２は、画像サーバ４１に格納された複数枚分の写真データそれぞれによる写真を表示する選択用写真表示手段４２ａと、選択用写真表示手段４２ａにより表示された複数枚の写真のなかから写真アルバムに用いる写真を選択する際に使用される写真選択手段４２ｂと、写真選択手段４２ｂで選択された複数枚の写真それぞれの写真アルバム内での位置およびサイズを含むアルバム情報の入力に使用されるアルバム情報入力手段４２ｃとを備える。このような選択装置４２は、パーソナルコンピュータを主構成としており、上記の各手段４２ａ〜４２ｃは所定のアプリケーションプログラムをパーソナルコンピュータで実行することにより実現される。
【００１９】
選択用写真表示手段４２ａは、選択装置４２を構成するパーソナルコンピュータに付属するキーボードなどのユーザインタフェース（図示せず）の入力（表示する写真データの客符号や、類別符号の入力）に応じて、画像サーバ４１より一連の写真データを読み込み、当該写真データそれぞれによる写真をパーソナルコンピュータに付属するＣＲＴや液晶表示器などのモニタ装置（図示せず）により表示する。例えば、選択用写真表示手段４２ａは、一連の写真データそれぞれによる写真を１画面に所定枚数（例えば４枚）表示する。これによって、客は、一連の写真データによる写真を相互に見比べながら、写真を選択することができる。
【００２０】
写真選択手段４２ｂは、選択装置４２の上記ユーザインタフェースの入力に応じて、選択用写真表示手段４２ａにより表示された複数枚の写真のなかから写真アルバムに使用する写真を選択する。また、写真選択手段４２ｂでは、写真データの選択のやり直し（再選択）なども行えるようになっている。
【００２１】
アルバム情報入力手段４２ｃは、選択装置４２の上記ユーザインタフェースの入力に応じて、写真選択手段４２ｂで選択された写真データによる写真の写真アルバム内での位置やサイズなどを決定する。また、アルバム情報入力手段４２ｃは、選択装置４２のメモリの記憶領域に、写真アルバムのテンプレートを格納してなるテンプレート記憶部（図示得ず）を備えており、客は、このようなテンプレート記憶部に記憶されたテンプレートのうちいずれのテンプレートを使用するかについても、決定することが可能である。さらに、アルバム情報入力手段４２ｃでは、使用する写真のトリミングなどが行えるようになっている。これによって、客は、選択した写真のうちの一部分（例えば、写真が全身写真である場合には、顔の部分）を使用したり、選択した写真に文字などを書き込んだりすることが可能になる。
【００２２】
アルバム情報入力手段４２ｃでの入力が終了すると、画像サーバ４１に、アルバム情報が送信される。このアルバム情報には、アルバム情報入力手段４２ｃに入力された内容、例えば、写真選択手段４２ｂで選択された写真データによる写真の写真アルバム内での位置やサイズ、使用するテンプレートの種類、客がトリミングを行った場合にはそのトリミング情報などが含まれる。
【００２３】
客情報入力装置４３は、例えば上記の客に関する情報、例えば、客の氏名や、住所、連絡先、撮影内容、作製するアルバムの冊数、希望お渡し日（納期）などを含む客情報（注文書情報）の入力に使用される。本実施形態におけるアルバム作製システムでは上記客情報に基づいて注文書が作成され、当該注文書は以後の処理（特に印刷用写真作成装置３における種々の処理）を行う際に参照情報として使用される。また、客情報入力装置４３は、入力された客情報を画像サーバ４１に送信する。なお、客情報入力装置４３は、パーソナルコンピュータを主構成としており、上記の処理は所定のアプリケーションプログラムをパーソナルコンピュータで実行することにより実現される。
【００２４】
画像サーバ４１は、大容量のストレージデバイス（図示せず）と、データの送受信および当該ストレージデバイスへのデータの書き込み／読み出しを行うコントローラ（図示せず）とを備えており、当該ストレージデバイスには、写真取込み装置４０で取り込んだカメラ装置２の写真データ、選択装置４２より与えられるアルバム情報、および客情報入力装置４３より与えられる客情報が格納される。ここで、画像サーバ４１の記憶領域には、アルバムデータ用の記憶領域が確保される。アルバムデータは、選択装置４２よりアルバム情報を受け取った際に作製されるデータであり、上記客情報と、当該客情報に対応するアルバム情報と、当該アルバムで使用する写真データ（写真選択手段４２ｂで選択された複数枚の写真それぞれの写真データ）とを含む、ひとまとまりのデータである。画像サーバ４１は、通信網ＮＴ１を通じて印刷用写真作成装置３と通信するための通信インターフェース（図示せず）を備え、作成したアルバムデータを印刷用写真作成装置３に送信する。
【００２５】
印刷用写真作成装置３は、写真入力装置４より通信網ＮＴ１を通じて写真データを含むアルバムデータを受信するデータ受信サーバ３０と、データ受信サーバ３０で受信したアルバムデータが一括して格納されるデータ記憶サーバ３１と、複数（図示例では５つ）の画像処理装置３２とを備える。また、印刷用写真作成装置３は、工程管理装置１を備えており、工程管理装置１によって、各画像処理装置３２による画像処理の工程管理が行われる。印刷用写真作成装置３を構成するデータ受信サーバ３０、データ記憶サーバ３１、画像処理装置３２、および工程管理装置１は、上記の工場などに設置されており、これらはイントラネットなどの通信網を介して相互に接続される。
【００２６】
データ受信サーバ３０は、写真入力装置４より受信したアルバムデータに含まれる各写真データそれぞれに対して縮小化処理を行う縮小化手段（図示せず）を備える。当該縮小化手段は、写真データよる写真の画素数を不要部分（例えば、ゴミや傷などによる欠陥）の確認が可能なレベルで少なくしてなる縮小写真を作成する。縮小写真データには、元になった写真データを特定するための識別符号が付され、これによって、縮小写真データとその元になった写真データとが対応付けられる。また、縮小写真データには元になった写真データの識別情報と同じ内容の識別情報が付される。このような縮小化手段はデータ受信サーバ２０に備えられるＣＰＵなどの演算処理装置で所定のアプリケーションプログラムを実行することで実現され、当該アプリケーションプログラムは、従来周知のものを採用することができる。
【００２７】
データ受信サーバ３０の縮小化手段で作成された縮小写真のデータ（縮小写真データ）は、当該縮小写真データの元になった写真データが含まれるアルバムデータとともにデータ記憶サーバ３１に送信される。
【００２８】
データ記憶サーバ３１は、大容量のストレージデバイス（図示せず）と、データの送受信および当該ストレージデバイスへのデータの書き込み／読み出しを行うコントローラ（図示せず）とを有しており、データ受信サーバ３０より各種データ（縮小写真データや、アルバムデータなど）を受信すると、受信したデータを自身の記憶領域に書き込む。このようなデータ記憶サーバ３１は、工程管理装置１および各画像処理装置３２がアクセス可能であり、印刷用写真作成装置３で使用される各種のデータはデータ記憶サーバ３１で一括管理される。また、データ記憶サーバ３１は、通信網ＮＴ２を通じて欠陥確認装置６と接続されており、これによって、欠陥確認装置６に縮小写真データを送信可能としている。なお、データ記憶サーバ３１には図示しない圧縮サーバおよび第２のデータ記憶サーバ（二次ストレージ）も接続され、これらは上記データ（縮小写真データや、アルバムデータなど）のバックアップに使用される。
【００２９】
各画像処理装置３２は、図２に示すように、写真データに対して所定の画像処理を実行可能とする画像処理手段３２ａを共通に具備する。また各画像処理装置３２は、所定の写真データに対する画像処理を要求する処理要求信号を工程管理装置１より受信すると受信した処理要求信号で指示された写真データに対するジョブが末尾に登録される待ち行列を記憶する書き換え可能なメモリなどの記憶手段３２ｂを備えており、画像処理手段３２ａは、記憶手段３２ｂに記憶された待ち行列の先頭からジョブを順次実行可能にする。さらに、各画像処理装置３２は、画像処理手段３２ｂでジョブが実行され、当該ジョブに対応する写真データに対する画像処理が終了すると、工程管理装置１に終了通知信号を送信して、当該写真データに対する画像処理が終了したことを工程管理装置１に通知する（すなわち、ジョブが終了すると工程管理装置１に通知する）進捗状況通知手段３２ｃと、工程管理装置１より所定の写真データに対する画像処理を優先して行うことを要求する優先処理要求信号を受信すると、当該優先処理要求信号で指示された写真データに対するジョブを待ち行列の先頭に登録する割り込み処理を実行する割り込み手段３２ｄとを共通に具備する。
【００３０】
ここで、本実施形態における印刷用写真作成システムは、画像処理装置３２として、トリミング情報変換用の画像処理装置３２（以下、必要に応じて「トリミング情報変換装置」と称し、符号３２Ａで表す）と、写真データによる写真のゴミや傷などによる欠陥修復用の画像処理装置３２（以下、必要に応じて「欠陥修復装置」と称し、符号３２Ｂで表す）と、写真データによる写真の色補正用の画像処理装置３２（以下、必要に応じて「色補正装置」と称し、符号３２Ｃで表す）と、写真データによる写真のトリミング用の画像処理装置３２（以下、必要に応じて「トリミング装置」と称して符号３２Ｄで表す）と、各画像処理装置３２Ａ〜３２Ｄにより画像処理された写真データを合成して印刷用写真データを作成する画像処理装置３２（以下必要に応じて「合成処理装置」と称し、符号３２Ｅで表す）とを備える。
【００３１】
トリミング情報変換装置３２Ａにおける画像処理手段３２ａは、データ記憶サーバ３１に記憶されたアルバムデータに含まれるトリミング情報（客が選択装置４２で実行したトリミングの内容を示す情報）に基づいて、縮小写真データをトリミングするためのトリミング用パラメータを作成する処理（トリミング情報変換処理）を実行する。トリミング情報変換装置３２Ａで作成されたトリミング用パラメータは、データ記憶サーバ３１に送信され、データ記憶サーバ３１の記憶領域に書き込まれる。
【００３２】
欠陥修復装置３２Ｂにおける画像処理手段３２ａは、欠陥の修復作業を行うにあたり、欠陥確認装置６で作成される後述する欠陥位置データを利用する。
【００３３】
欠陥確認装置６は、パーソナルコンピュータを主構成とするものである。欠陥確認装置６は、例えば、通信網ＮＴ２を通じて受信した縮小写真データによる写真（縮小写真）を、欠陥確認装置６を構成するパーソナルコンピュータに付属するＣＲＴや液晶表示器などのモニタ装置（図示せず）により表示させ、この縮小写真における欠陥の位置を、欠陥確認装置６を構成するパーソナルコンピュータに付属するユーザインタフェース（例えば、ペンタブレットなど）を利用して、入力可能とする。欠陥確認装置６は、入力された欠陥の位置に基づいて、縮小写真に含まれる全ての欠陥の位置に関するデータを含む欠陥位置データを作成する。ここで、欠陥の位置が入力されなかった場合、すなわち欠陥がない場合には、欠陥がないことを示すデータ（無欠陥データ）が作成される。そして、欠陥確認装置６は、欠陥位置データおよび無欠陥データそれぞれを、元になった縮小写真データに対応付けて、通信網ＮＴ２を通じてデータ記憶サーバ３１に送信する。なお、欠陥確認装置６では、所定のアプリケーションプログラムをパーソナルコンピュータで実行することにより上述の処理が実現される。
【００３４】
欠陥修復装置３２Ｂにおける画像処理手段３２ａは、写真データによる写真とともに当該写真データに対応付けられた欠陥位置データによる欠陥の位置を、欠陥修復装置３２Ｂを構成するパーソナルコンピュータに付属するＣＲＴや液晶表示器などのモニタ装置（図示せず）により表示させる。そして、この欠陥修復装置３２Ｂにおける画像処理手段３２ａは、欠陥修復装置３２Ｂを構成するパーソナルコンピュータに付属するユーザインタフェース（例えば、ペンタブレットなどのポインティングデバイスや、タッチパネルなど）などを利用して、欠陥の修復を可能とする。欠陥修復装置３２Ｂで修復された写真（加工写真）のデータ（加工写真データ）は、データ記憶サーバ３１に送信され、データ記憶サーバ３１の記憶領域に書き込まれる。
【００３５】
このような欠陥の修復は、フォトレタッチツールや、グラフィックソフトウェアなどを利用して、写真の加工（例えば、欠陥の部分を、当該欠陥の周囲の色で塗り潰す処理など）を行うことによって、実現できる。なお、このような欠陥を修復する方法は、従来周知の写真の加工方法により行うことができるから、詳細な説明は省略する。
【００３６】
色補正装置３２Ｃにおける画像処理手段３２ａは、データ記憶サーバ３１より縮小写真データを読み出し、当該縮小写真データに対して自動的に色補正（例えば、明度、彩度、コントラスト、色相などの自動補正）を実行した後に、色補正後の縮小写真データによる縮小写真を、当該色補正装置３２Ｃを構成するパーソナルコンピュータに付属するＣＲＴや液晶表示器などのモニタ装置（図示せず）に表示する処理（自動色補正処理）を実行する。この色補正装置３２Ｃでは、写真データではなく、その縮小写真データを利用するから、処理時間の短縮化が図れる。
【００３７】
色補正装置３２Ｃにおける画像処理手段３２ａでは、自動的に色補正が行われた縮小写真に対して、さらに人の手による色補正（例えば、同じ類別符号の写真データによる写真間の色合わせや、上記自動色補正による補正不足の調整など）を必要に応じて行うことができる（再処理が可能である）。色補正装置３２Ｃにおいて、色補正が終了すると、最終的な色補正のパラメータ（色補正用パラメータ）がデータ記憶サーバ３１に送信され、データ記憶サーバ３１の記憶領域に格納される。すなわち、色補正装置３２Ｃは、写真データを当該写真データに所定の画像処理を行った後の写真データに変換する変換用パラメータを生成する第１の画像処理装置を構成する。なお、色補正装置３２Ｃは、上記の例の他に、画面上の表示色とプリンタ装置５の印刷色との色合わせ（キャリブレーション）や、画像の明暗、コントラストなどの種々の補正が必要に応じて行われる。
【００３８】
トリミング装置３２Ｄにおける画像処理手段３２ａは、データ記憶サーバ３１より縮小写真データを取得して、当該縮小写真データによる縮小写真を、トリミング装置３２Ｄを構成するパーソナルコンピュータに付属するＣＲＴや液晶表示器などのモニタ装置（図示せず）に表示する。このトリミング装置３２Ｄでは、写真データではなく、その縮小写真データを利用するから、処理時間の短縮化が図れる。
【００３９】
トリミング装置３２Ｄにおける画像処理手段３２ａは、縮小写真を表示するにあたっては、トリミング情報交換装置３２Ａにおいて当該縮小写真データに対応するトリミング用パラメータが作成されていれば、当該トリミング用パラメータをデータ記憶サーバ３１より読み出す。そして、トリミング装置３２Ｄは、当該トリミング用パラメータに基づいてトリミングした縮小写真を表示する。
【００４０】
このトリミング装置３２Ｄでは、表示中の縮小写真に対応するトリミング用パラメータが存在する場合（すなわち、客がトリミングを行っている場合）には、トリミング後の縮小写真に問題があるか否かが人の目視確認により行われ、必要があれば、トリミングの修正（再処理）が行われる。例えば、写真中の被写体の傾きや中心位置の調整、写真においてアルバムの台紙などで隠れる部分の位置調整などが必要に応じて行われる。
【００４１】
トリミングの修正が行われたときには、データ記憶サーバ３１に書き込まれているトリミング用パラメータは、修正後のトリミング用パラメータで置換される（上書きされる）。一方、表示中の縮小写真に対応するトリミング用パラメータが存在しない場合（すなわち、客がトリミングを行っていない場合）には、必要に応じて人の手によるトリミングが行われ、トリミング装置３２Ｄで作成されたトリミング用パラメータがデータ記憶サーバ３１に送信され、データ記憶サーバ３１の記憶領域に格納される。すなわち、トリミング装置３２Ｄは、写真データを当該写真データに所定の画像処理を行った後の写真データに変換する変換用パラメータを生成する第１の画像処理装置を構成する。
【００４２】
合成処理装置３２Ｅにおける画像処理手段３２ａは、データ記憶サーバ３１より、相互に対応付けられた、写真データ（欠陥修復装置３２Ｂで加工写真データが作成されていれば加工写真データ）と、上記色補正用パラメータと、上記トリミング用パラメータとを取得して、写真データ（あるいは加工写真データ）に対して、色補正用パラメータに基づく色補正と、トリミング用パラメータに基づくトリミングとを行うことで、印刷用写真データを作成する。合成処理装置３２Ｅで作成された印刷用写真データは、合成処理装置３２Ｅを構成するパーソナルコンピュータのストレージデバイス（図示せず）に格納される。すなわち、合成処理装置３２Ｅは、複数の第１の画像処理装置（上記の色補正装置３２Ｃおよびトリミング装置３２Ｄ）それぞれで作成された変換用パラメータ（色補正装置３２Ｃによる色補正用パラメータおよびトリミング装置３２Ｄによるトリミング用パラメータ）を用いて印刷用写真のデータを作成する第２の画像処理装置を構成する。
【００４３】
工程管理装置１は、上述した複数の画像処理装置３２に処理要求信号を予め設定された順番で送信する順番管理手段１０と、複数の画像処理装置３２それぞれの待ち行列を監視する監視手段１１と、当該監視手段１１の監視結果に基づいて各画像処理装置３２における画像処理の進捗状況を評価する進捗状況評価手段１２とを備える。
【００４４】
監視手段１１は、各画像処理装置３２への処理要求信号の送信履歴と、各画像処理装置３２からの画像処理終了の通知とに基づいて、各画像処理装置３２に待ち行列を監視する。例えば、監視手段１１は、画像処理装置３２それぞれに対して処理要求信号を送った回数と、各画像処理装置３２より終了通知信号を受け取った回数との差によって、各画像処理装置３２における待ち行列に登録されているジョブの種類と数とを監視する。なお、監視手段１１は、各画像処理装置３２に対して待ち行列のデータを送信するように要求することによって、各画像処理装置３２より待ち行列のデータを取得し、これによって待ち行列を監視するようにしてもよい。監視手段１１の構成は、上記の例に限定されず、待ち行列を監視することが可能な構成であればよい。
【００４５】
進捗状況評価手段１２は、例えば、進捗状況を評価するにあたっては、監視手段１１の監視結果に基づいて、各画像処理装置３２における待ち行列に登録されたジョブが全て終了するまでにかかるジョブ待ち時間を算出する。例えば、本実施形態における進捗状況評価手段１２は、画像処理装置３２において１つのジョブの処理にかかった平均作業時間と、当該画像処理装置３２における待ち行列に登録されたジョブの数とを乗算することで、ジョブ待ち時間を算出する。ここで、上記の平均作業時間は、画像処理装置３２自身がジョブ毎に計時して工程管理装置１に送信するようにしてもよいし、進捗状況評価手段１２が、画像処理装置３２より終了通知信号を受信する時間間隔により算出するようにしてもよいし、画像処理装置３２毎に予め設定された値を使用してもよい。
【００４６】
順番管理手段１０は、予め設定された順番で画像処理装置３２に処理要求信号を送信する。ここで、合成処理装置３２Ｅは、他の画像処理装置３２Ａ〜３２Ｄによる画像処理が終了していなければ画像処理を実行できないため、処理要求信号を送信する順番は常に最後である。したがって、順番管理手段１０は、予め設定された順番で画像処理装置３２Ａ〜３２Ｄに処理要求信号を送信した後に、合成処理装置３２Ｅに処理要求信号を送信する。
【００４７】
ところで、トリミング情報変換装置３２Ａ、色補正装置３２Ｃ、トリミング装置３２Ｄは、写真データそのものを加工するものではなく、変換用のパラメータを作成するものである。また、欠陥修復装置３２Ｂにおける画像処理は、変換用のパラメータを作成するものではなく、写真データを加工するものであるが、必ず最後に画像処理が実行される合成処理装置３２Ｅを除いては、他に写真データを加工する画像処理装置３２が存在しない。したがって、画像処理装置３２Ａ〜３２Ｄにより画像処理を行う順番は入れ替えることが可能である。ただし、順番の入れ替えには以下の条件を満たす必要がある。
【００４８】
すなわち、写真データに対応するアルバムデータ内にトリミング情報がない場合には、トリミング情報変換装置３２Ａにおける画像処理が不要であるから、トリミング情報変換装置３２Ａにおける画像処理は行わない。また、欠陥確認装置６において無欠陥データが作成された写真データに対しては、欠陥修復装置３２Ｂによる画像処理は不要であるから、欠陥修復装置３２Ｂにおける画像処理は行わない。また、トリミング情報変換装置３２Ａにおいて画像処理が実行される場合には、トリミング装置３２Ｄは、トリミング情報変換装置３２Ａで作成されたトリミング用パラメータを必要とするから、トリミング装置３２Ｄにおける画像処理は、トリミング情報変換装置３２Ａの後になる。
【００４９】
例えば、本実施形態における順番管理手段１０は、合成処理装置３２Ｅに処理要求信号を送信する前に、トリミング情報変換装置３２Ａ→欠陥修復装置３２Ｂ→色補正装置３２Ｃ→トリミング装置３２Ｄの順に処理要求信号を送信する。ただし、トリミング情報変換装置３２Ａを行わない場合には、トリミング情報変換装置３２Ａへの処理要求信号の送信が省略され、欠陥修復装置３２Ｂを行わない場合には、欠陥修復装置３２Ｂへの処理要求信号の送信が省略され、トリミング情報変換装置３２Ａおよび欠陥修復装置３２Ｂを両方とも行わない場合には、トリミング情報変換装置３２Ａおよび欠陥修復装置３２Ｂそれぞれへの処理要求信号の送信が省略される。
【００５０】
ところで、順番管理手段１０は、必ずしも上記順番にしたがって処理要求信号を送信するわけではない。順番管理手段１０は、処理要求信号を画像処理装置３２に送信するにあたっては、処理要求信号の送信候補（処理要求信号を送信する予定）の画像処理装置３２におけるジョブ待ち時間が所定時間以内であるか否かを判定する処理（ジョブ待ち時間判定処理）を実行し、その結果によって、処理要求信号を送信する順番を変更する。なお、上記所定時間は、各画像処理装置３２で実行する画像処理の内容を勘案して定められる。そのため、上記所定時間は、画像処理装置３２毎に異なる値となり得る。これは、上記所定時間は、複数の画像処理装置３２において上記所定時間が同値となることを妨げる趣旨ではない。
【００５１】
すなわち順番管理手段１０は、上記ジョブ待ち時間判定処理の結果、ジョブ待ち時間が所定時間以内であれば、上記の順番通りに処理要求信号を送信し、ジョブ待ち時間が所定時間を越えていれば、別の画像処理装置３２を処理要求信号の送信候補とする。ここで、順番管理手段１０は、送信候補の画像処理装置３２を選択するにあたっては、上記の順番にしたがって、画像処理装置３２を選択する。ただし、上記の順番の最後の画像処理装置３２の次の送信候補を選択する際には、上記の順番の最初に戻る。また、当然ながら、既に処理要求信号を送信済みの画像処理装置３２は送信候補として選ばれない。
【００５２】
以下に、工程管理装置１の動作について説明する。工程管理装置１は、データ記憶サーバ３１に格納されたアルバムデータに基づき、当該アルバムデータに含まれる写真データに対して所定の画像処理を行わせるために、各画像処理装置３２に処理要求信号を送信する。
【００５３】
このとき、順番管理手段１０は、最初に、写真データに対してトリミング情報変換装置３２Ａまたは欠陥修復装置３２Ｂによる画像処理を行うか否かによって、処理要求信号を送信する順番を決定する。例えば、トリミング情報変換装置３２Ａおよび欠陥修復装置３２Ｂの両方の画像処理を行う場合には、処理要求信号を送信する順番は、トリミング情報変換装置３２Ａ→欠陥修復装置３２Ｂ→色補正装置３２Ｃ→トリミング装置３２Ｄとなる（以下、この順番を基本順番と称する）。
【００５４】
当該基本順番にしたがえば、処理要求信号を最初に送信する（最初の送信候補となる）のはトリミング情報変換装置３２Ａであるから、順番管理手段１０は、トリミング情報変換装置３２Ａについてジョブ待ち時間判定処理を実行する。その結果、ジョブ待ち時間が所定時間以内であれば、順番管理手段１０は、予定通りトリミング情報変換装置３２Ａに処理要求信号を送信する。そして、トリミング情報変換装置３２Ａより当該処理要求信号に対する終了通知信号を受信すると、順番管理手段１０は、次の画像処理装置（次に処理要求信号を送信する予定の画像処理装置）３２、上記の基本順番にしたがえば欠陥修復装置３２Ｂについてジョブ待ち時間判定処理を実行する。
【００５５】
一方、順番管理手段１０は、トリミング情報変換手段３２Ａについてのジョブ待ち時間判定処理の結果、ジョブ待ち時間が所定時間を越えていれば、別の画像処理装置３２を送信候補とする。この場合の送信候補は、上記の基本順番にしたがえば欠陥修復装置３２Ｂとなるから、順番管理手段１０は、欠陥修復装置３２Ｂについてジョブ待ち時間判定処理を実行する。
【００５６】
順番管理手段１０は、欠陥修復装置３２Ｂについてジョブ待ち時間判定処理を実行した結果、ジョブ待ち時間が所定時間以内であれば、予定通り欠陥修復装置３２Ｂに処理要求信号を送信し、欠陥修復装置３２Ｂより当該処理要求信号に対する終了通知信号を受信すると、次の画像処理装置３２、上記の基本順番にしたがえば色補正装置３２Ｃについてジョブ待ち時間判定処理を実行する。
【００５７】
一方、順番管理手段１０は、欠陥修復装置３２Ｂについてのジョブ待ち時間判定処理の結果、ジョブ待ち時間が所定時間を越えていれば、別の画像処理装置３２を送信候補とする。この場合の送信候補は、上記の基本順番にしたがえば色補正装置３２Ｃとなるから、順番管理手段１０は、色補正装置３２Ｃについてジョブ待ち時間判定処理を実行する。
【００５８】
順番管理手段１０は、色補正装置３２Ｃについてジョブ待ち時間判定処理を実行した結果、ジョブ待ち時間が所定時間以内であれば、予定通り色補正装置３２Ｃに処理要求信号を送信し、色補正装置３２Ｃより当該処理要求信号に対する終了通知信号を受信すると、上記の基本順番にしたがって処理要求信号の送信候補を選択する。この場合、送信候補はトリミング装置３２Ｄとなるが、トリミング情報変換装置３２Ａでの画像処理が終了していない場合には、トリミング装置３２Ｄへの処理要求信号の送信はスキップされ、トリミング装置３２Ｄは上記基本順番の最後のものであるから、上記の基本順番の最初に戻り、当該基本順番にしたがって、処理要求信号を送信していない画像処理装置３２が送信候補に選択される。この点は、色補正装置３２Ｃについてジョブ待ち時間判定処理を実行した結果、ジョブ待ち時間が所定時間を越えていたときと同様である。
【００５９】
順番管理手段１０は、上記のようにして、トリミング情報変換装置３２Ａ、欠陥修復装置３２Ｂ、色補正装置３２Ｃ、およびトリミング装置３２Ｄに処理要求信号を送信し、処理要求信号を送信した全ての画像処理装置３２Ａ〜３２Ｄから終了通知信号を受信すると、合成処理装置３２Ｅに処理要求信号を送信する。
【００６０】
このように本実施形態の工程管理装置１は、基本的には予め設定された順番で処理要求信号を送信するのであるが、処理要求信号の送信候補（処理要求信号を送信する予定）の画像処理装置３２の負荷が重い（ジョブ待ち時間が長い）場合には、上記の順番に従わずに、別の画像処理装置３２に処理要求信号を送信することで、空き時間の短縮を図る。
【００６１】
ところで、順番管理手段１０は、進捗状況評価手段１２で算出したジョブ待ち時間と、アルバムデータに含まれる写真データの納期とに基づいて、写真データに関する画像処理が納期に間に合うか否かを判定する納期遅延判定手段１０ａを有する。納期遅延判定手段１０ａは、例えば、写真データの納期に基づいて、一つの写真データから印刷用写真データを作成するまでの猶予時間を算出する。また、納期遅延判定手段１０ａは、写真データに対する画像処理の進捗状況（画像処理装置３２による画像処理がどこまで終了しているか）と、写真データに対する画像処理が終了していない画像処理装置３２のジョブ待ち時間とに基づいて、当該写真データについて印刷用写真データが作成されるまでにかかる時間（必要作業時間）を算出する（簡単な例としては、写真データに対する画像処理が終了していない画像処理装置３２のジョブ待ち時間および当該画像処理装置３２において画像処理にかかる時間とを全て加算することで、必要作業時間を算出する）。そして、納期遅延判定手段１０ａは、上記猶予時間より上記必要作業時間が長い場合には、納期に間に合わないと判定する。ここで、猶予時間を算出する際には、現日時と、写真データを含むアルバムデータの納期と、アルバムデータに含まれる全ての写真データによる印刷用写真をプリンタ装置５で印刷するために必要な時間（印刷時間）、印刷した写真をアルバムに綴じるために必要な時間（製本時間）、アルバムの作成場所から客の受け取り場所までの配送にかかる時間（配送時間）など種々の事項が考慮される。
【００６２】
順番管理手段１０は、上記の納期遅延判定手段１０ａで納期に間に合わないと判定された写真データがあれば、当該写真データについては処理要求信号に代えて優先処理要求信号を送信し、これによって、当該写真データに対する画像処理を他の写真データに対する画像処理よりも先に実行させる。
【００６３】
プリンタ装置５は、合成処理装置３２Ｅで作成された印刷用写真データを合成処理装置３２Ｅの上記ストレージデバイスより読み出して、当該印刷用写真データによる印刷用写真を写真用紙やアルバム台紙などの印画紙（プリント用印画紙）にプリント（印刷）する。このようなプリンタ装置５としては、印刷用写真をプリントする印画紙を複数種類の幅の印画紙から選択可能なものを用いることが好ましく、プリントする印刷用写真のサイズに応じた印画紙を選択してプリントを実行すれば、印画紙の無駄や、印刷用写真のサイズに合わせて印画紙をカットする作業などを省くことができる。例えば、幅が８９ｍｍ、１０２ｍｍ、１２７ｍｍ、２５４ｍｍ、３０５ｍｍである印画紙を用いることが可能なプリンタ装置５であれば、８９×１１９ｍｍのＤＳＣサイズ（Ｌ−ＤＳＣサイズ）、８９×１２７ｍｍのＬサイズ、８９×１３３ｍｍのＬＷサイズ、８９×１５８ｍｍのＨＶサイズ、１０２×１５２ｍｍのＫＧサイズ（ハガキサイズ）、１２７×１６９ｍｍの２Ｌ−ＤＳＣサイズ、１２７×１７８ｍｍの２Ｌサイズ、１２７×１９０ｍｍの２ＬＷサイズ、２５４×３０５ｍｍの四切サイズ、２０３×２５４ｍｍの六切サイズ、２０３×３０５ｍｍの六切ワイドサイズ、２５４×３６５ｍｍの四切ワイドサイズ、２１０×３０５ｍｍのＡ４サイズ、３０５×４２０ｍｍのＡ３サイズなどの種々のサイズの写真を印刷することができる。なお、ここで、プリンタ装置５は、写真データの解像度以上の解像度を有するものを用いることが好ましい。なお、図示例ではプリンタ装置５は１つであるが、このようなプリンタ装置５は用途、例えば共用できない用紙サイズ毎に設けられていてもよく、また、同種のプリンタ装置５を複数台使用してもよい。
【００６４】
このようなプリンタ装置５でプリントされた写真（修整写真）を、写真アルバムの台紙（図示せず）の所定箇所に貼付することや、プリンタ装置５でプリントされたアルバム台紙を綴じることで写真アルバムが完成する。なお、プリンタ装置５でプリントされた修整写真に対しては、印刷用写真作成装置３における修整の過不足などの最終チェックが行われ、必要に応じて、印刷用写真作成装置３で再度、修整処理が実行される。
【００６５】
以上述べた本実施形態の工程管理装置１によれば、進捗状況評価手段１１で算出したジョブ待ち時間が所定時間以内か否かによって、処理要求信号の送信候補の画像処理装置３２の負荷（仕事量）が過多であるか否かを判定し、処理要求信号の送信候補の画像処理装置３２の負荷が過多でなければ、予め設定された順番にしたがって処理要求信号を送信する一方で、送信候補の画像処理装置３２の負荷が過多であれば、別の画像処理装置３２を処理要求信号の送信候補とするから、写真データに対するジョブの流れが停滞することを抑制して、全体的にジョブの待ち時間を短くすることができ、その結果、写真データに複数種類の画像処理を行う際の作業効率を向上することができる。
【００６６】
特に、上記の例では、画像処理を行うために欠陥確認装置６での作業が必要になり、また手作業による欠陥の修復作業に使用される欠陥修復装置３２Ｂにおいて負荷が重くなり易く、欠陥修復装置３２Ｂの負荷が重い場合には、工程管理装置１は欠陥修復装置３２Ｂとは別の画像処理装置３２に画像処理を行わせるので、欠陥修復装置３２Ｂの負荷の低減が図れる。
【００６７】
また、進捗状況評価手段１１は、画像処理装置３２において１つのジョブの処理にかかった平均作業時間と、当該画像処理装置３２における待ち行列に登録されたジョブの数とを乗算することで、上記待ち時間を算出するから、待ち時間を容易に算出することができる。
【００６８】
さらに、順番管理手段１０は、進捗状況評価手段１１で算出したジョブ待ち時間と写真データの納期とに基づいて、納期に間に合うか否かを判定する納期遅延判定手段１０ａを有しており、納期遅延判定手段１０ａで納期に間に合わないと判定された写真データがあれば、当該写真データについては処理要求信号に代えて優先処理要求信号を送信するから、画像処理装置３２に、納期に遅れそうな写真データに対するジョブを優先して行わせることができるから、納期に遅れてしまうことを防止することができる。
【００６９】
ところで、図１では、工程管理装置１を備えたアルバム作製システムを例に挙げているが、工程管理装置１を適用するシステムは、アルバム作製システムに限定されず、例えば、カメラ装置２で撮影した写真の写真データに対して複数種類の画像処理を行った後に、プリンタ装置５で印刷するような写真撮影システムに適用することができる。このような写真撮影システムによっても、同様に、写真データに複数種類の画像処理を行う際の作業効率を向上することができるという効果が得られる。
【００７０】
なお、本実施形態の工程管理装置１の構成はあくまでも本発明の一実施形態であって、本発明の技術的範囲を上記の例に限定する趣旨ではなく、趣旨を逸脱しない程度に変更することができる。この点は、この点は、本実施形態で例示した印刷用写真作成装置３、アルバム作製システム、および写真撮影システムについても同様である。例えば、印刷用写真作成装置３を構成する各装置は必ずしも同一工場内に設置されている必要はなく、必要に応じて遠隔地の工場などに設置するようにしてもよい。また、本実施形態では、工程管理装置１を適用とする例としてアルバム作製システムや、写真撮影システムを例示しているが、これらの他に、キーホルダや携帯ストラップなどの種々の小物など、写真を一部に含む商品を作成するためのシステムに適用することができる。また、写真を一部に含む商品を作成するためのシステムを複数構築する場合、最終の商品形態が異なるだけであるから、これらのシステム間で工程管理装置１を共用することができ、システムの構築にかかる費用を低減することができる。
【図面の簡単な説明】
【００７１】
【図１】本発明の一実施形態の工程管理装置を備えたアルバム作製システムのブロック図である。
【図２】同上における画像処理装置のブロック図である。
【符号の説明】
【００７２】
１    工程管理装置
２    カメラ装置
３    印刷用写真作成装置
１０    順番管理手段
１０ａ  納期遅延判定手段
１１    監視手段
１２    進捗状況評価手段
３２（３２Ａ〜３２Ｂ）  画像処理装置
３２ａ  画像処理手段
３２ｂ  記憶手段
３２ｃ  進捗状況通知手段
３２ｄ  割り込み手段
【図１】
0004992050.tif 000002
【図２】
0004992050.tif 000003